(57)【要約】      （修正有）【課題】耐衝撃性が優れたケースでありながら小型軽量にすることができる巻尺を提供できるようにした。【解決手段】ケース内に、測定テープを周囲に巻き回し、同測定テープを巻き取り方向に付勢する付勢手段を内装する回転ドラムが回転自在に支持された自動巻取り式の巻尺１におけるケース２を、マグネシウムを主体とする合金で形成する。これにより、従来のプラスチックケースよりもケースの厚みを薄くすることができ、したがってケースの強度を犠牲にすることなくケースを小型に、かつ軽くすることができる。【選択図】図１
0003138286.tif 000002
【実用新案登録請求の範囲】
【請求項１】
ケース内に、測定テープを周囲に巻き回し、同測定テープを巻き取り方向に付勢する付勢手段を内装する回転ドラムが回転自在に支持された自動巻取り式の巻尺であって、ケースを、マグネシウムを主体とする合金で形成してなる巻尺。
【請求項２】
前記ケースの少なくとも外側を塗料や樹脂等のコーティング材によりコーティングしてなる請求項１に記載の巻尺。
【請求項３】
前記コーティング材に光触媒を混合してなる請求項２に記載の巻尺。
【考案の詳細な説明】
【技術分野】
【０００１】
本考案は、測定テープ自動巻取り式の巻尺に関し、より詳しくは、小型軽量でありながら耐衝撃性に優れた巻尺に関する。
【背景技術】
【０００２】
従来、巻尺は主に内外の工事現場で用いられていて、目盛りを読み取り易くすることは勿論のこと、ハードな使用にも充分耐えるよう図３に示すように、巻尺７のプラスチックからなるケース８にゴム等の柔軟素材から形成したカバー９を被せるようにして、巻尺７の落下や衝突等による衝撃からケース８を保護しているものがある。
【０００３】
しかしながら、ケースを保護するためにケースにゴム等の柔軟素材から形成したカバーを被せた巻尺は、カバーを衝撃吸収に必要な厚みにしてケースへの衝撃を緩和また吸収しなければならないため、耐衝撃性を持たせていないケースの巻尺よりも一回りも二回りも大きいものになっていて、携帯する場合にも不便であった（例えば、特許文献１参照）。
【０００４】
したがって、耐衝撃性を持たせるためケースにカバーを被せた巻尺は、ケースの小型化が進む今日の流れに逆行していて、このため、ユーザーからは耐衝撃性を備えていて、かつ使い勝手がよい小型で軽い巻尺の開発が望まれていた。
【０００５】
また、工事現場以外で使用される耐衝撃性を必要としない巻尺においても、携帯し易いように小型軽量のものが望まれていた。
【０００６】
【特許文献１】特許第３２９８８４３号公報（第１〜７頁、図１〜１２）
【考案の開示】
【考案が解決しようとする課題】
【０００７】
本考案は、耐衝撃性が優れたケースでありながら小型軽量にできて、カバーを被せていない通常のプラスチックケースからなる巻尺と同じように携帯し易い巻尺を提供できるようにした。
【課題を解決するための手段】
【０００８】
上述した課題を解決するために、本考案に係る巻尺は、ケース内に、測定テープを周囲に巻き回し、同測定テープを巻き取り方向に付勢する付勢手段を内装する回転ドラムが回転自在に支持された自動巻取り式の巻尺であって、ケースを、マグネシウムを主体とする合金で形成したものとしてある。
【０００９】
また前記ケースの少なくとも外側を塗料や樹脂等のコーティング材によりコーティングしたものとしてある。
【００１０】
さらに前記コーティング材に光触媒を混合したものとしてある。
【考案の効果】
【００１１】
本考案の巻尺によれば、ケースを、マグネシウムを主体とする合金（マグネシウム合金）で形成することにより耐衝撃性を大にできるので、従来のように、ケースにカバーを被せて耐衝撃性を得るようにする必要もなくなり、しかもマグネシウム合金はプラスチックよりも重量あたりの強度や曲げ弾性率が大なので従来のプラスチックケースよりもケースの厚みを薄くすることができ、したがってケースの強度を犠牲にすることなくケースを小型に、かつ軽くすることができる。
【００１２】
これにより、従来の耐衝撃性を得るためカバーをケースに被せた巻尺は勿論のこと、ケースに耐衝撃性を必要としていない巻尺においても、同じ長さの測定テープを周囲に巻き回する回転ドラムを収容している従来の巻尺に対してケースを小にできるので、巻尺を従来以上に携帯し易くできる。
【００１３】
そして、マグネシウムは変形に対する抗力が大なので、巻尺を落としてケースに衝突による大なる衝撃が加わった場合等でもケース表面に衝突による凹が生じ難く、金属ケースの欠点であった衝突による凹の発生を小にでき、したがって取り扱いに際してあまり神経質になることもなく普通の巻尺のように使用できる。
【００１４】
また、マグネシウム合金は切削抵抗が小なので、機械加工をする際にも切削工具の磨耗も小で、また比較的早い速度で切削加工できるので、工具や加工に掛かるコストを低減することができる。
【００１５】
さらに、マグネシウムは時間や温度が変化しても寸法変化が小なので、プラスチックを用いてケースを形成する場合に考慮する成形後における素材の引け等も気にしなくてもよく、したがってケースの成型を容易に行うことができる。
【００１６】
さらには、リサイクルする場合においても、マグネシウム合金は他の金属に比して比熱（１グラムあたりの物質の温度を１℃上げるのに必要な熱量すなわち物質１グラムあたりの熱容量）が小で、融点が低いので再熔解してリサイクルするのに必要なエネルギーがマグネシウム合金製造時の４パーセントと非常に小で済み、したがってリサイクル性にも優れたものである。
【００１７】
そして、マグネシウムは振動エネルギーの吸収性がよいので、ケース内壁に立設されている軸に軸支している測定テープを周囲に巻き回する回転ドラムが、測定テープの引き出しまた巻き取りによって回転した際の振動エネルギーを吸収して回転ドラムの回転音を小にできる。
【００１８】
さらに、ケースの少なくとも外側を塗料や樹脂等によってコーティングすれば耐水性を向上できて、海水が飛散する海岸や養殖場また雨中でもケースの水濡れを気にせずに使用できる。
【００１９】
そして、コーティング材に光触媒を混合しておけば、ケース表面が汚れてもケース表面に塗布しているコーティング材に混合する光触媒の効果で付着する汚れが浮き上がるので水洗いだけで簡単にケース表面が綺麗になり、したがって巻尺の手入れを簡単に行うことができる。
【考案を実施するための最良の形態】
【００２０】
本考案に係る巻尺は、図１に示すように、通常形状の巻尺１におけるケース２をマグネシウム合金で形成しているものである。
【００２１】
また、巻尺１におけるケース２の少なくとも外側を塗料や樹脂等のコーティング材６によりコーティングして、海水近くで使用した際、飛散した海水の付着による塩害、また雨中での使用にも充分耐えられるようにする場合もある。
【００２２】
そして、コーティング材６に二酸化チタンもしくは二酸化チタンと他物質の混合物からなる光触媒を混合して、ケース２の表面が汚れた際に光触媒の効果でケース２の表面に付着する汚れを浮き上がらせ、水洗いだけで簡単にケース２の表面を綺麗にできるようにする場合もある。
【００２３】
さらには、巻尺を落してしまってケース２の表面が凹んだ場合でも、その凹みがあまり目立たないようケース２の表面に多数のディンプルや模様を形成する場合もある。
【００２４】
そして、ディンプルや模様の形成はケース２を成型する際に同時形成するのが普通であるが、ケース２を成型した後でユーザーからの注文に合わせて個別に形成する場合もある。
【００２５】
実施例における図１中の符号３は、測定テープの先端に設けているフック、符号４は、内装する回転ドラムの周囲に巻き回している測定テープのケース２における測定テープ出入口、符号５は、巻尺１を作業者の腰ベルトに係着させる際に用いるベルトクリップである。
【図面の簡単な説明】
【００２６】
【図１】本考案に係る巻尺の一例を示す斜視図。
【図２】本考案に係る巻尺の一例を示す斜視図。
【図３】ケースにカバーを被せている従来の巻尺における一例を示す斜視図。
【符号の説明】
【００２７】
１  巻尺
２  ケース
３  フック
４  測定テープ出入口
５  ベルトクリップ
６  コーティング材
７  巻尺
８  ケース
９  カバー
【図１】
0003138286.tif 000003
【図２】
0003138286.tif 000004
【図３】
0003138286.tif 000005